(57)【要約】      （修正有）【課題】フラットケーブルのためのノイズ低減手段であるフェライトコアを固定部材により基板に固定することなく、容易で安価にフェライトコアを保持する構造を備えた加熱調理器を提供する。【解決手段】本体と、被加熱物を載置するトッププレートと、トッププレートの下方に設けられた加熱手段と、加熱手段の火力、加熱時間、メニューを入力する操作部と、加熱手段の火力、加熱時間、メニューを表示する表示部と、加熱手段と操作部と表示部を制御する制御部と、を備え、制御部は、フラットケーブル６１で接続された複数の基板４３，４４で構成され、フラットケーブルには、フラットケーブルが貫通可能に形成されたノイズ低減手段であるフェライトコア６２が取り付けられ、フラットケーブルには２つ以上の折り曲げ部が設けられ、第１の折り曲げ部６１ａと第２の折り曲げ部６１ｂとの間にフェライトコアが取り付けられているものである。【選択図】図５
2019125515.tif 000002
【特許請求の範囲】
【請求項１】
本体と、
該本体を覆うように設けられた被加熱物を載置するトッププレートと、
前記本体内で前記トッププレートの下方に設けられた加熱手段と、
該加熱手段の火力、加熱時間、メニューを入力する操作部と、
前記加熱手段の火力、加熱時間、メニューを表示する表示部と、
前記加熱手段と前記操作部と前記表示部を制御する制御部と、を備え、
前記制御部は、通信可能に接続する電線であるフラットケーブルで接続された複数の基板で構成され、
前記フラットケーブルには、該フラットケーブルが貫通可能に形成されたノイズ低減手段であるフェライトコアが取り付けられ、
前記フラットケーブルには２つ以上の折り曲げ部が設けられ、第１の折り曲げ部と第２の折り曲げ部との間に前記フェライトコアが取り付けられている加熱調理器。
【請求項２】
前記フェライトコアは、前記フラットケーブルで接続された複数の基板の何れかの端部から基板の内側になるように、前記第１の折り曲げ部と前記第２の折り曲げ部との間に取り付けられている請求項１に記載の加熱調理器。
【請求項３】
前記フラットケーブルは、前記第１の折り曲げ部と前記第２の折り曲げ部によりＺ字状に折り曲げられている請求項１あるいは請求項２に記載の加熱調理器。
【請求項４】
前記第１の折り曲げ部と前記第２の折り曲げ部との間の長さは、前記フェライトコアの前記フラットケーブルの貫通方向の長さ１つ分よりも長く、３つ分よりは短い請求項１から請求項３何れか１項に記載の加熱調理器。
【請求項５】
前記フェライトコアと前記フラットケーブルを覆うカバーを設けた請求項２に記載の加熱調理器。
【請求項６】
本体と、
該本体を覆うように設けられた被加熱物を載置するトッププレートと、
前記本体内で前記トッププレートの下方に設けられた加熱手段と、
該加熱手段の火力、加熱時間、メニューを入力する操作部と、
前記加熱手段の火力、加熱時間、メニューを表示する表示部と、
前記加熱手段と前記操作部と前記表示部を制御する制御部と、を備え、
前記制御部は、通信可能に接続する電線であるフラットケーブルで接続された、上下方向で前記トッププレートからの高さが異なる複数の基板で構成され、
前記フラットケーブルには、該フラットケーブルが貫通可能に形成されたノイズ低減手段であるフェライトコアが取り付けられ、
前記フラットケーブルには折り曲げ部と、該折り曲げ部から連なる湾曲部が設けられ、
該湾曲部に前記フェライトコアが取り付けられている加熱調理器。
【請求項７】
前記上下方向で前記トッププレートからの高さが異なる複数の基板の内、前記トッププレートに近い基板の前記フラットケーブルの接続部は、前記トッププレートと対向する面側に設けられ、
前記接続部から前記トッププレートまでの垂直方向の長さは、前記接続部から前記折り曲げ部までの長さよりも長くなっている請求項６に記載の加熱調理器。
【請求項８】
前記上下方向で前記トッププレートからの高さが異なる複数の基板の内、前記トッププレートに近い基板の前記フラットケーブルの接続部は、前記トッププレートと対向する面の裏面側に設けられ、
前記トッププレートに近い基板の、前記トッププレートと対向する面から前記トッププレートまで垂直方向の長さは、前記トッププレートに近い基板の端部から前記折り曲げ部までの長さよりも長くなっている請求項６に記載の加熱調理器。
【発明の詳細な説明】
【技術分野】
【０００１】
本発明は、通信電線のノイズ軽減手段の保持構造を備えた加熱調理器に関する。
【背景技術】
【０００２】
従来から基板と基板の間を通信可能に接続するための電線、特に電線を平らな帯状にまとめたフラットケーブルのノイズ軽減手段としてフェライトコアを用い、そのフェライトコアを保持する構造（例えば、特許文献１参照）が開示されている。
【先行技術文献】
【特許文献】
【０００３】
【特許文献１】特開平１１−２６１２７６号公報（第３頁、図１）
【発明の概要】
【発明が解決しようとする課題】
【０００４】
特許文献１に記載の従来の基板間を通信可能に接続する電線であるフラットケーブルのためのノイズ低減手段であるフェライトコアを保持する構造は、フェライトコアを分割された樹脂のケースで上下から挟み込み、下方のケースに設けられた爪形状を基板に引っ掛けて基板に固定するようになっている。
【０００５】
このようにフェライトコアを分割された樹脂のケースで上下から挟み込み、下方のケースに設けられた爪形状を基板に引っ掛けて基板に固定することで、フェライトコアがずれることがなく、フェライトコアがフラットケーブルの接続端子部電極に接触して通信の不具合が発生したり、フェライトコアがずれて移動し固い部材に接触して破損したりすることがない。
【０００６】
しかし、特許文献１に記載の従来のフラットケーブルのためのフェライトコアを保持する構造では、フェライトコアの他に固定部材が必要となるため、取付け作業に時間が掛かるという課題があった。また、固定部材の金型コストや部品コストが掛かるという課題があった。
【０００７】
本発明は、上記課題に鑑みてなされたものであり、フラットケーブルのためのノイズ低減手段であるフェライトコアを固定部材により基板に固定することなく、安価で容易にフェライトコアを保持する構造を備えた加熱調理器を提供することを目的とする。
【課題を解決するための手段】
【０００８】
課題を解決する本発明の加熱調理器は、本体と、本体を覆うように設けられた被加熱物を載置するトッププレートと、本体内でトッププレートの下方に設けられた加熱手段と、加熱手段の火力、加熱時間、メニューを入力する操作部と、加熱手段の火力、加熱時間、メニューを表示する表示部と、加熱手段と操作部と表示部を制御する制御部と、を備え、制御部は、通信可能に接続する電線であるフラットケーブルで接続された複数の基板で構成され、フラットケーブルには、フラットケーブルが貫通可能に形成されたノイズ低減手段であるフェライトコアが取り付けられ、フラットケーブルには２つ以上の折り曲げ部が設けられ、第１の折り曲げ部と第２の折り曲げ部との間にフェライトコアが取り付けられているものである。
【発明の効果】
【０００９】
本発明によれば、フラットケーブルには、フラットケーブルが貫通可能に形成されたノイズ低減手段であるフェライトコアが取り付けられ、フラットケーブルには２つ以上の折り曲げ部が設けられ、第１の折り曲げ部と第２の折り曲げ部との間にフェライトコアが取り付けられているようにしたので、第１の折り曲げ部と第２の折り曲げ部によりフェライトコアの移動を制限することができ、特に固定部材を用いる必要がなく、安価で容易にフェライトコアを保持することができる。
【図面の簡単な説明】
【００１０】
【図１】本発明の実施の形態１に係る加熱調理器の構成を示す天板を外した状態の斜視図である。
【図２】本発明の実施の形態１に係る加熱調理器の側面方向から見た断面図である。
【図３】本発明の実施の形態１に係る加熱調理器の操作及び表示部を上方から見た図である。
【図４】本発明の実施の形態１に係る加熱調理器の操作及び表示部を裏側から見た図である。
【図５】本発明の実施の形態１に係る加熱調理器の操作及び表示部を裏側から見た図（図４）に示す矢印Ａ方向から見たフラットケーブルとフェライトコアの状態を示す模式図である。
【図６】図５にフラットケーブルとフェライトコアを覆うカバーを追加した図である。
【図７】本発明の実施の形態１に係る加熱調理器の操作及び表示部を上方から見た図（図３）に示す矢印Ｂ方向から見たフラットケーブルとフェライトコアの状態を示す模式図である。
【図８】図７に示すフラットケーブルとフェライトコアの状態とは別のフラットケーブルとフェライトコアの状態を示す模式図である。
【発明を実施するための形態】
【００１１】
実施の形態１
（全体の構成）
図１は本発明の実施の形態１に係る加熱調理器の構成を示す天板を外した状態の斜視図、図２は本発明の実施の形態１に係る加熱調理器の側面方向から見た断面図である。
【００１２】
以下、図１と図２により本発明の実施の形態１の加熱調理器の構成を説明する。
なお、それぞれの図において、同じ部分または相当する部分には同じ符号を付し、一部の説明を省略する場合がある。
【００１３】
図１に示すように、本発明の実施の形態１の加熱調理器１００は、上面が開口した本体１と、その本体１の開口した上面を覆う、鍋等の調理容器である被調理物を載置可能な非磁性体、セラミックやガラスからなるトッププレート３と、その外周に図示しないシリコン系接着剤等で固着された金属、例えばステンレスで構成された枠体４で構成された天板２を備えている。
【００１４】
トッププレート３下方の本体１内には、図１に示すように左加熱手段５、右加熱手段６、中央加熱手段７が設けられている。左加熱手段５、右加熱手段６は誘導加熱コイルからなる誘導加熱手段であり、中央加熱手段７は、例えばラジエントヒーターのような電熱線からなる輻射式加熱手段である。このように加熱手段が３つ設けられたものは３口タイプの加熱調理器と呼ばれるものである。
【００１５】
トッププレート３には、図１に示すようにそれぞれの加熱手段に対応する被加熱物載置部が設けられている。詳しくは、被加熱物載置部３ａは左加熱手段５を使用して加熱するときに被加熱物を載置する範囲として、被加熱物載置部３ｂは右加熱手段６を使用して加熱するときに被加熱物を載置する範囲として、被加熱物載置部３ｃは中央加熱手段７を使用して加熱するときに被加熱物を載置する範囲として、印刷などで表示されている。
【００１６】
なお、３口タイプ加熱調理器の加熱手段の組合せは前述した組合せに限られるものではなく、３口とも誘導加熱手段で構成してもよく、適宜選択可能である。
【００１７】
本体１の前面には、加熱調理器の電源を入り切りする電源スイッチ８を備えている。本体１は図示しないが、魚等の被調理物をその内部に載置してグリル調理やオーブン調理をする調理庫を備えている。調理庫は前面が開口していて、調理庫の前面開口には、開口を閉塞するための調理庫扉９が前方に引き出し自在に設けられている。
なお、本発明の実施の形態１の加熱調理器では調理庫を備えているものとして説明したが、調理庫を備えず、その空間を収納庫として使用してもよく、その場合、調理庫扉９は収納庫扉となる。調理庫を備えるか収納庫を備えるかは適宜選択可能である。
【００１８】
本体１内の左加熱手段５の下方には、図２に示すように誘導加熱手段である左加熱手段５、右加熱手段６に電力を供給するインバーター基板２１と、輻射式加熱手段である中央加熱手段７に電力を供給する電源基板２２が設けられている。
【００１９】
本体１内の後方には、本体１内で高温となる基板や加熱手段などを冷却するための空気を送風する送風手段３１が設けられている。送風手段３１は電動機３１ａと送風ファン３１ｂで構成されている。
【００２０】
送風手段３１は、本体１後面の図示しない吸気口から本体１外の空気を吸い込み、本体１内に送風、その空気はインバーター基板２１、電源基板２２、左加熱手段５、右加熱手段６などを順次冷却して、本体１後方に設けられた排気口１ａに送られ、天板２の後方に載置された排気口カバー２ａを通り本体１外へ排出される。
【００２１】
（操作及び表示部の構成）
本体１の前方でトッププレート３の下方には、図１に示すように操作及び表示部１０が設けられている。操作及び表示部１０について、図３及び図４を用いて詳しく説明する。図３は本発明の実施の形態１に係る加熱調理器の操作及び表示部を上方から見た図、図４は本発明の実施の形態１に係る加熱調理器の操作及び表示部を裏側から見た図である。
【００２２】
操作及び表示部１０は、図３及び図４に示すように操作基板４１、操作基板４２、第１の制御基板４３、第２の制御基板４４、センサー類接続基板４５を備える。操作基板４１と操作基板４２には、それぞれ複数の静電容量式タッチスイッチの電極４１ａ、４２ａが設けられており、それぞれ静電容量式タッチスイッチを制御するＩＣを搭載した図示しない基板を介し、図示しない通信電線で第１の制御基板４３と接続されている。
【００２３】
操作基板４１、操作基板４２、静電容量式タッチスイッチを制御するＩＣを搭載した図示しない基板、第１の制御基板４３、第２の制御基板４４は基板ホルダー５１で保持される。なお、センサー類接続基板４５は基板ホルダー５１ではなく他の図示しない保持部材に保持されているが、説明の便宜上、図３、図４に表している。
【００２４】
トッププレート３の前方には、図１に示す入力部３ｄに図示しない操作キー類が、印刷で表示するなどして設けられていて、その操作キーをタッチするとトッププレート３越しに操作基板４１と操作基板４２の静電容量式タッチスイッチの電極４１ａ、４２ａが静電容量の変化を捉え、入力を行う。
【００２５】
第１の制御基板４３の上面側、言い換えるとトッププレート３の裏面と対向する面側には、右表示手段１２、中央表示手段１３、右火力表示用ＬＥＤ群１５、中央火力表示用ＬＥＤ群１６が設けられている。第２の制御基板４４の上面側、言い換えるとトッププレート３の裏面と対向する面側には、左表示手段１１、左火力表示用ＬＥＤ群１４が設けられている。
【００２６】
左表示手段１１は、左加熱手段５の設定温度、設定時間等を表示するものである。右表示手段１２は、左加熱手段６の設定温度、設定時間等を表示するものである。中央表示手段１３は、中央加熱手段７の設定温度、設定時間と、調理庫の調理メニュー、設定時間や、全体の注意情報などを統合的に表示するものである。
【００２７】
左火力表示用ＬＥＤ群１４は、左加熱手段５の火力を、火力の大きさに応じてＬＥＤの発光数で表示するものである。右火力表示用ＬＥＤ群１５は、右加熱手段６の火力を、火力の大きさに応じてＬＥＤの発光数で表示するものである。中央火力表示用ＬＥＤ群１６は、中央加熱手段７の火力、あるいは調理庫の火力を、火力の大きさに応じてＬＥＤの発光数で表示するものである。
【００２８】
左表示手段１１の表示内容は、図１に示すトッププレート３に設けられた透明の左表示窓３ｅを透過し使用者に視認できるようになっている。同様に、右表示手段１２の表示内容は、図１に示すトッププレート３に設けられた透明の右表示窓３ｆ、中央表示手段１３の表示内容は、図１に示すトッププレート３に設けられた透明の中央表示窓３ｇを透過し、それぞれ使用者に視認できるようになっている。
【００２９】
左火力表示用ＬＥＤ群１４、右火力表示用ＬＥＤ群１５、中央火力表示用ＬＥＤ群１６も、その発光がそれぞれトッププレート３を透過して使用者に視認できるようになっている。
【００３０】
第１の制御基板４３には、図示しないが、本発明の実施の形態１の加熱調理器１００の全体を制御する指令を行うマイコンである制御手段が搭載されている。また、第１の制御基板４３には、図示しないが、制御手段の指令により右表示手段１２を表示する右表示手段用ドライバーＩＣ、中央表示手段１３を表示する中央表示手段ドライバーＩＣ、右火力表示用ＬＥＤ群１５と中央火力表示用ＬＥＤ群１６の発光を行わせる右中央ＬＥＤドライバーＩＣなども搭載されている。
【００３１】
第２の制御基板４４には、図示しないが、第１の制御基板４３に搭載された制御手段の指令により左表示手段１１を表示する左表示手段用ドライバーＩＣ、左火力表示用ＬＥＤ群１４の発光を行わせる左ＬＥＤドライバーＩＣが搭載されている。各ドライバーの通信方式はＩ２Ｃ（Inter-Integrated Circuit）通信であり、通信のクロック周波数は１００ｋＨｚである。
【００３２】
第１の制御基板４３と第２の制御基板４４は図４に示すように、フラットケーブル６１で通信可能に接続されている。第１の制御基板４３の制御手段と第２の制御基板４４のドライバーＩＣなどとの指令、応答の信号のやり取りを、フラットケーブル６１を介して行っている。
【００３３】
センサー類接続基板４５には、左加熱手段５や右加熱手段６にそれぞれ設けられる、トッププレート３を介して被加熱物の温度を検知する図示しない接触式の温度センサー、トッププレート３越しに被加熱物の赤外線を検知する非接触式の温度センサー、図示しない調理庫内の温度を検知する温度センサーなど、各種センサー類の接続端子類４５ｂが設けられている。
【００３４】
第１の制御基板４３とセンサー類接続基板４５は図３に示すように、フラットケーブル６３で通信可能に接続されている。第１の制御基板４３の制御手段への各種センサー類の検知情報の信号送信を、フラットケーブル６３を介して行っている。
【００３５】
制御手段を搭載した第１の制御基板４３、第１の制御基板４３とフラットケーブル６１で通信可能に接続された第２の制御基板４４、第１の制御基板４３とフラットケーブル６３で通信可能に接続されたセンサー類接続基板４５が本発明の実施の形態１の加熱調理器の制御を司っており、本発明の実施の形態１の制御部である。
【００３６】
第１の制御基板４３とフラットケーブル６１で接続された第２の制御基板４４の接続形態について図５を用いて詳しく説明する。図５は本発明の実施の形態１に係る加熱調理器の操作及び表示部を裏側から見た図（図４）に示す矢印Ａ方向から見たフラットケーブルとフェライトコアの状態を示す模式図である。
【００３７】
第１の制御基板４３と第２の制御基板４４は、図５に示すように同じ高さで並べて設けられている。フラットケーブル６１は、一端が第１の制御基板４３の端部に近い位置に設けられたフラットケーブル接続端子４３ａに接続されていて、もう一端が第２の制御基板４４の端部に近い位置に設けられたフラットケーブル接続端子４４ａに接続されている。
【００３８】
フラットケーブル６１にはフェライトコア６２が取り付けられている。フェライトコア６２はフラットケーブル６１から発生するノイズや、他の部品、例えば、誘導加熱手段である左加熱手段５、右加熱手段６から受けるノイズを低減するためのものである。このようなノイズは、ノイズを受けた電子部品などを発熱させたり、他の機器に不具合を生じさせたりする。
【００３９】
フェライトコア６２は直方体状で、短手方向にフラットケーブル６１が貫通可能な穴が設けられていて、フェライトコア６２はその穴にフラットケーブル６１を通過させて取り付けられている。
【００４０】
フラットケーブル６１は、図５に示すように第１の折り曲げ部６１ａと第２の折り曲げ部６１ｂで折り曲げられＺ字状をしている。なお、図５はＺ字状を反対側から見た状態を示しているが、図５に示す状態の反対側からみればＺ字状であるので、ここではＺ字状として説明している。
【００４１】
フェライトコア６２は第１の折り曲げ部６１ａと第２の折り曲げ部６１ｂの間に取り付けられている。フラットケーブル６１は、前述のように第１の折り曲げ部６１ａと第２の折り曲げ部６１ｂで折り曲げられＺ字状をしているので、フェライトコア６２の動きは第１の折り曲げ部６１ａと第２の折り曲げ部６１ｂで規制される。
【００４２】
よって、フェライトコア６２はフラットケーブル６１の折り曲げ部６１ａと第２の折り曲げ部６１ｂの間の長さ以上に動くことがないので、特に固定部材を用いることなく取り付け位置を特定の範囲で保持できる。
【００４３】
このとき、フラットケーブル６１の折り曲げ部６１ａと第２の折り曲げ部６１ｂの間の長さがあまり長いとフェライトコア６２の移動距離が長くなってしまうので、フラットケーブル６１の折り曲げ部６１ａと第２の折り曲げ部６１ｂの間の長さは、フェライトコア６２にフラットケーブル６１が貫通する方向のフェライトコア６２に長さ１つ分よりは長く、３つ分よりは短い長さであることが望ましい。
【００４４】
また、フェライトコア６２が振動などで上下方向に動いたとしても、図５に示すようにフェライトコア６２が第２の制御基板４４の端部から基板の内側になる位置で第１の折り曲げ部６１ａと第２の折り曲げ部６１ｂの間に取り付けられていて、早めに第２の制御基板４４にフラットケーブル６１越しに接触するのでより上下方向へ大きく動くことがない。
【００４５】
図５では示していないが、図６に示すように、フラットケーブル６１とフェライトコア６２を第２の制御基板４４と挟むように、例えば絶縁性のあるポリカーボネートのような素材で形成されたシート状のカバー５２を設ければ、フェライトコア６２の上下方向への動きをより小さく抑えることができる。
【００４６】
次に第１の制御基板４３とフラットケーブル６３で接続されたセンサー類接続基板４５の接続形態について図７を用いて詳しく説明する。図７は本発明の実施の形態１に係る加熱調理器の操作及び表示部を上方から見た図（図３）に示す矢印Ｂ方向から見たフラットケーブルとフェライトコアの状態を示す模式図である。
【００４７】
第１の制御基板４３とセンサー類接続基板４５は、図７に示すようにトッププレート３の裏面からの高さが、トッププレート３の裏面からセンサー類接続基板４５までの長さＴより、トッププレート３の裏面から第１の制御基板４３までの長さＴ１の方が短い。つまり水平方向から見たときに、センサー類接続基板４５と第１の制御基板４３は高さが異なる配置となっていて、センサー類接続基板４５よりも第１の制御基板４３の方が高い位置に設けられている。
【００４８】
フラットケーブル６３は、一端が第１の制御基板４３の端部に近い位置で、トッププレート３の裏面と対向する面側に設けられたフラットケーブル接続端子４３ｂに接続されていて、もう一端がセンサー類接続基板４５の端部に近い位置に設けられたフラットケーブル接続端子４５ａに接続されている。
【００４９】
フラットケーブル６３にはフェライトコア６２が取り付けられている。フェライトコア６２はフラットケーブル６３から発生するノイズや、他の部品、例えば、誘導加熱手段である左加熱手段５、右加熱手段６から受けるノイズを低減するためのものである。このようなノイズは、ノイズを受けた電子部品などを発熱させたり、他の機器に不具合を生じさせたりする。
【００５０】
フェライトコア６２は直方体状で、短手方向にフラットケーブル６３が貫通可能な穴が設けられていて、フェライトコア６２はその穴にフラットケーブル６３を通過させて取り付けられている。
【００５１】
フラットケーブル６３は、図７に示すように折り曲げ部６３ａと、折り曲げ部６３ａに連なる湾曲部６３ｂを有している。折り曲げ部６３ａの湾曲部６３ｂと連なる反対側の端部がフラットケーブル接続端子４３ｂに接続されている。湾曲部６３ｂの折り曲げ部６３ａと連なる反対側の端部がフラットケーブル接続端子４５ａに接続されている。
【００５２】
フェライトコア６２は湾曲部６３ｂに取り付けられている。フェライトコア６２は前述のように直方体状であり、貫通穴は直線状に貫通している。フラットケーブル６３の湾曲した形状の湾曲部６３ｂを、フェライトコア６２の直線状に貫通した貫通穴に通すことで湾曲した形状が抵抗となりフェライトコア６２の動きは規制される。
【００５３】
よって、フェライトコア６２はフラットケーブル６３の湾曲した形状の湾曲部６３ｂが抵抗となり動きが規制されるので、特に固定部材を用いることなく取り付け位置を特定の範囲で保持できる。
【００５４】
但し、振動などが加わることにより、フラットケーブル６３は上下方向に動く可能性がある。そのため、フラットケーブル６３の接続端子４３ｂから折り曲げ部６３ａまでの長さＬ１よりもフラットケーブル接続端子４３ｂからトッププレート３の裏面までの長さＴ１の方を長くしている。
【００５５】
このようにすることで、振動によりフラットケーブル６３が上下方向に動いても、フラットケーブル６３及びフェライトコア６２がトッププレート３に接触することがなく、トッププレート３の裏面を傷付けたり、フェライトコア６２が破損したりすることを防止できる。
【００５６】
なお、本発明の実施の形態１では、図７に示すようにフラットケーブル６３の一端を第１の制御基板４３の端部に近い位置で、トッププレート３の裏面と対向する面側に設けられたフラットケーブル接続端子４３ｂに接続するものとしたが、図８に示すようにしてもよい。
【００５７】
図８は、図７に示すフラットケーブルとフェライトコアの状態とは別のフラットケーブルとフェライトコアの状態を示す模式図であり、フラットケーブル６４は、一端が第１の制御基板４３の端部に近い位置で、トッププレート３の裏面と対向する面の裏面側に設けられたフラットケーブル接続端子４３ｃに接続されていて、もう一端がセンサー類接続基板４５の端部に近い位置に設けられたフラットケーブル接続端子４５ａに接続されている。
【００５８】
フラットケーブル６４にはフェライトコア６２が取り付けられている。フェライトコア６２はフラットケーブル６４から発生するノイズや、他の部品、例えば、誘導加熱手段である左加熱手段５、右加熱手段６から受けるノイズを低減するためのものである。このようなノイズは、ノイズを受けた電子部品などを発熱させたり、他の機器に不具合を生じさせたりする。
【００５９】
フェライトコア６２は直方体状で、短手方向にフラットケーブル６４が貫通可能な穴が設けられていて、フェライトコア６２はその穴にフラットケーブル６４を通過させて取り付けられている。
【００６０】
フラットケーブル６４は、図８に示すように折り曲げ部６４ａと、折り曲げ部６４ａに連なる湾曲部６４ｂを有している。折り曲げ部６４ａの湾曲部６４ｂと連なる反対側の端部がフラットケーブル接続端子４３ｃに接続されている。湾曲部６４ｂの折り曲げ部６４ａと連なる反対側の端部がフラットケーブル接続端子４５ａに接続されている。
【００６１】
フェライトコア６２は湾曲部６４ｂに取り付けられている。フェライトコア６２は前述のように直方体状であり、貫通穴は直線状に貫通している。フラットケーブル６４の湾曲した形状の湾曲部６４ｂを、フェライトコア６２の直線状に貫通した貫通穴に通すことで湾曲した形状が抵抗となりフェライトコア６２の動きは規制される。
【００６２】
よって、フェライトコア６２はフラットケーブル６４の湾曲した形状の湾曲部６４ｂが抵抗となり動きが規制されるので、特に固定部材を用いることなく取り付け位置を特定の範囲で保持できる。
【００６３】
但し、振動などが加わることにより、フラットケーブル６４は上下方向に動く可能性がある。そのため、フラットケーブル６４の接続端子４３ｃから折り曲げ部６４ａまでの長さＬ２よりも、第１の制御基板４３のトッププレート３の裏面と対向する面側からトッププレート３の裏面までの長さＴ２の方を長くしている。
【００６４】
このようにすることで、振動によりフラットケーブル６４が上下方向に動いても、フラットケーブル６４及びフェライトコア６２がトッププレート３に接触することがなく、トッププレート３の裏面を傷付けたり、フェライトコア６２が破損したりすることを防止できる。
【００６５】
また、フラットケーブル６４を接続するフラットケーブル接続端子４３ｃをトッププレート３の裏面と対向する面の裏面側に設けたのでフラットケーブル６４を短くすることができ、フラットケーブル６４のコストを抑えることができる。
【符号の説明】
【００６６】
１  本体、１ａ  排気口、２  天板、２ａ  排気口カバー、３  トッププレート、３ａ  被加熱物載置部、３ｂ  被加熱物載置部、３ｃ  被加熱物載置部、３ｄ  入力部、３ｅ  左表示窓、３ｆ  右表示窓、３ｇ  中央表示窓、４  枠体、５  左加熱手段、６  右加熱手段、７  中央加熱手段、８  電源スイッチ、９  調理庫扉、１０  操作及び表示部、１１  左表示手段、１２  右表示手段、１３  中央表示手段、１４  左火力表示用ＬＥＤ群、１５  右火力表示用ＬＥＤ群、１６  中央火力表示用ＬＥＤ群、２１  インバーター基板、２２  電源基板、３１  送風手段、３１ａ  電動機、３１ｂ  送風ファン、４１  操作基板、４１ａ  静電容量タッチスイッチ式電極、４２  操作基板、４２ａ  静電容量式タッチスイッチ電極、４３  第１の制御基板、４３ａ  フラットケーブル接続端子、４３ｂ  フラットケーブル接続端子、４３ｃ  フラットケーブル接続端子、４４  第２の制御基板、４４ａ  フラットケーブル接続端子、４５  センサー類接続基板、４５ａ  フラットケーブル接続端子、４５ｂ  接続端子類、５１  基板ホルダー、５２  カバー、６１  フラットケーブル、６１ａ  第１の折り曲げ部、６１ｂ  第２の折り曲げ部、６２  フェライトコア、６３  フラットケーブル、６３ａ  折り曲げ部、６３ｂ  湾曲部、６４  フラットケーブル、６４ａ  折り曲げ部、６４ｂ  湾曲部、１００  加熱調理器。
【図１】
2019125515.tif 000003
【図２】
2019125515.tif 000004
【図３】
2019125515.tif 000005
【図４】
2019125515.tif 000006
【図５】
2019125515.tif 000007
【図６】
2019125515.tif 000008
【図７】
2019125515.tif 000009
【図８】
2019125515.tif 000010